(57)【要約】      （修正有）【課題】利用者が自分の好みに合ったものを選択できる幅を拡げられるようなイヤホン等を提供する。【解決手段】電気信号に基づいて音を発生するスピーカを有するイヤホン本体１００と、電気信号を送信する導電線を有するイヤホンケーブル２００とを備え、イヤホン本体１００及びイヤホンケーブル２００の間の電気的接続を、両者それぞれに設けた端子を接続させて行うものである。【選択図】図１
2006222840.tif 000002
【特許請求の範囲】
【請求項１】
電気信号に基づいて音を発生するスピーカを有するイヤホン本体と、
電気信号を送信する導電線を有するイヤホンケーブルとを備え、
前記イヤホン本体及び前記イヤホンケーブルの間の電気的接続を、両者それぞれに設けた電極端子を接続させて行うことを特徴とするイヤホン。
【請求項２】
前記イヤホンケーブルが有する電極端子は、
棒状の導電体と、
該棒状の導電体を覆う絶縁体を介して該棒状の導電体と同軸状に設けた円環状の導電体の２極端子からなることを特徴とする請求項１記載のイヤホン。
【請求項３】
前記イヤホンケーブルに凹部を有する係合部材を設け、
前記イヤホン本体に前記イヤホンケーブルの一部を前記イヤホン本体内部に収容するための開口部分を設け、該開口部分の内壁に凸部を設けて、
前記イヤホン本体内部に設けた電極端子と前記イヤホンケーブルが有する電極端子とを接続すると、前記凹部と前記凸部とが係合することを特徴とする請求項１又は２記載のイヤホン。
【請求項４】
前記イヤホン本体は、開閉自在に取り付けられ、閉じたときに前記イヤホン本体内部に設けた電極端子を覆うカバーを有することを特徴とする請求項３記載のイヤホン。
【請求項５】
前記凸部は断面が鋸刃状であることを特徴とする請求項３記載のイヤホン。
【請求項６】
前記係合部材との接触から前記導電線を保護するための絶縁管で前記導電線を覆っていることを特徴とする請求項３〜５のいずれかに記載のイヤホン。
【請求項７】
電気信号に基づいて音を発生するスピーカと、
イヤホンケーブルが有する電極端子と接続させて前記スピーカに電気信号を送信するための電極端子と
を備えることを特徴とするイヤホン本体。
【請求項８】
導電線の一端に電極端子が接続され、該電極端子をイヤホン本体が有する電極端子と接続させて前記イヤホン本体が備えるスピーカに電気信号を送信することを特徴とするイヤホンケーブル。
【発明の詳細な説明】
【技術分野】
【０００１】
本発明は、例えば屋外等で音楽等を聴くために用いるイヤホンに関するものである。特に利用者の選択幅を拡げるためのものである。
【背景技術】
【０００２】
近年、音楽等を再生する装置において、屋外等に携帯して音楽等を聴くための携帯型装置の種類が多くなった。また、携帯電話等の携帯端末においても音楽等を再生することができるものもある（これらを併せて、以下、プレーヤという）。屋外においてプレーヤを用いて音楽を聴くためには、イヤホン（イヤーレシーバ）、ヘッドホン等（以下、耳に本体を直接当てて、音をこれらのイヤホン本体をイヤホンという）は欠かせないものとなっている。
【０００３】
このようにイヤホンは屋外で使用されることが多いのではあるが、イヤホンの機能ばかりが考慮され、露出部分が多いにもかかわらず、イヤホンの見え方については、基本的にはあまり考慮されていないのが現状である。これを解決するために、装飾材をイヤホン本体に付する考案が提案されている（例えば特許文献１参照）。
【０００４】
【特許文献１】実用新案登録第３１０５６０１号公報
【発明の開示】
【発明が解決しようとする課題】
【０００５】
しかしながら、上記のような装飾を施したとしても、イヤホン本体の形状、色等、イヤホンケーブルの色、素材等が一様のものが多く、利用者が好みのイヤホンを選択できる幅が狭いことには変わりはない。
【０００６】
そこで本発明では、利用者が自分の好みに合ったものを選択できる幅を拡げられるようなイヤホンを提供することを目的とする。
【課題を解決するための手段】
【０００７】
本発明に係るイヤホンは、電気信号に基づいて音を発生するスピーカを有するイヤホン本体と、電気信号を送信する導電線を有するイヤホンケーブルとを備え、イヤホン本体及びイヤホンケーブルの間の電気的接続を、両者それぞれに設けた電極端子を接続させて行う。
本発明のイヤホンにおいては、イヤホン本体とイヤホンケーブルとを接続又は分離できるようにするため、イヤホン本体とイヤホンケーブルとのそれぞれに電極端子を設け、端子を接続することで、イヤホン本体及びイヤホンケーブルの間の電気的接続を行うようにする。
【０００８】
また、本発明に係るイヤホンにおいて、イヤホンケーブルが有する電極端子は、棒状の導電体と該棒状の導電体を覆う絶縁体を介して該棒状の導電体と同軸状に設けた円環状の導電体の２極端子からなる。
本発明においては、イヤホンケーブルを同軸ケーブルのように構成することで、電極端子の接続、分離を行いやすいようにする。
【０００９】
また、本発明に係るイヤホンは、イヤホンケーブルに凹部を有する係合部材を設け、イヤホン本体にイヤホンケーブルの一部をイヤホン本体内部に収容するための開口部分を設け、開口部分の内壁に凸部を設けて、イヤホン本体内部に設けた電極端子とイヤホンケーブルが有する電極端子とを接続すると、凹部と凸部とが係合する。
本発明においては、イヤホンケーブルの一部をイヤホン本体内部に収容するための開口部分を設け、その内壁に凸部を設けて、イヤホンケーブルが有する凹部と係合させるようにして、イヤホンケーブルがイヤホン本体から自然に抜けないようにする。
【００１０】
また、本発明に係るイヤホンのイヤホン本体は、開閉自在に取り付けられ、閉じたときにイヤホン本体内部に設けた電極端子を覆うカバーを有する。
本発明においては、イヤホン本体にカバーを設け、本体内部を保護し、接続したイヤホンケーブルを固定する。
【００１１】
また、本発明に係るイヤホンでは、断面が鋸刃状の凸部とする。
本発明においては、凸部の断面を鋸刃状にすることで、イヤホンケーブルを開口部分からの挿入はしやすく、自然に抜けないようにする。
【００１２】
また、本発明に係るイヤホンは、係合部材との接触から導電線を保護するための絶縁管で導電線を覆っている。
本発明においては、例えば係合部材が導電性を有していた場合に、導電線と接触しないように、絶縁管で導電線を覆う。
【００１３】
また、本発明に係るイヤホン本体は、電気信号に基づいて音を発生するスピーカと、イヤホンケーブルが有する電極端子と接続させてスピーカに電気信号を送信するための電極端子とを備えるものである。
本発明においては、イヤホンケーブルとの間で接続又は分離できるイヤホン本体とするため、イヤホン本体に電極端子を設け、電極端子をイヤホンケーブルの電極端子と接続することでイヤホンケーブルとの電気的接続を行うようにする。
【００１４】
また、本発明に係るイヤホンケーブルは、導電線の一端に電極端子が接続され、その電極端子をイヤホン本体が有する電極端子と接続させてイヤホン本体が備えるスピーカに電気信号を送信する。
本発明においては、イヤホン本体との間で接続又は分離できるイヤホンケーブルとするため、イヤホンケーブルに電極端子を設け、電極端子をイヤホン本体の電極端子と接続することでイヤホン本体との電気的接続を行うようにする。
【発明の効果】
【００１５】
本発明によれば、イヤホン本体とイヤホンケーブルとを容易に分離又は接続できる構造にしたので、例えば利用者の形状、色等の好みに合わせて、イヤホン本体とイヤホンケーブルとの組み合わせを変更することができる。また、イヤホンケーブルに無理な負荷がかかり、接触不良になった場合でも、容易に別のイヤホンケーブルに取り替えることができる。そして、イヤホン本体とイヤホンケーブルとを分離又は接続できるので、ケーブル部分ににビーズ等の装飾材を容易に通すことができるようになり、さらに装飾性をもたせることができる。
【００１６】
また、本発明によれば、棒状の導電体と円環状の導電体とでイヤホンケーブルの電極端子を構成したので、イヤホン本体との間で電極端子の接続、分離を容易に行うことができる。また、電気的接続が容易に行える。
【００１７】
また、本発明によれば、電極端子どうしを接続させた際に、イヤホンケーブルの凹部とイヤホン本体の凸部とが係合するようにしたので、イヤホンケーブルがイヤホン本体から自然に抜けないようにすることができる。特に、イヤホンケーブル側を凹部にすることで、イヤホンケーブルの径が拡がらず、また、突起していないので安全である。
【００１８】
また、本発明によれば、イヤホン本体が開閉自在のカバーを有しているので、イヤホン本体内部を保護することができる。特に開口部分と異なる方向に開閉するようにすれば、閉じた際には、凸部によりイヤホンケーブルを係合させることで開口部分からの抜けを防止し、開いた際には、凸部に邪魔されることなく、イヤホンケーブルの着脱を行うことができる。
【００１９】
また、本発明によれば、断面が鋸刃状の凸部としたので、開口部分からイヤホンケーブルを挿抜する際、挿入しやすく、自然に抜けないようにすることができる。
【００２０】
また、本発明によれば、絶縁管で導電線を覆うようにしたので、係合部材との接触から導電線を保護することができる。
【００２１】
また、本発明によれば、電極端子によりイヤホンケーブルとの接続を行うようにしたので、イヤホンケーブルとの間で容易に分離又は接続でき、例えば利用者の形状、色等の好みに合わせて、イヤホンケーブルとの組み合わせを変更することができる。
【００２２】
また、本発明によれば、電極端子によりイヤホン本体との接続を行うようにしたので、イヤホン本体から容易に分離又は接続でき、例えば利用者の形状、色等の好みに合わせて、イヤホン本体との組み合わせを変更することができる。
【発明を実施するための最良の形態】
【００２３】
実施の形態１．
図１は本発明の実施の形態１に係るイヤホンを表す図である。図１において、イヤホンは、左右の耳に装着するイヤホン本体１００とイヤホンケーブル２００及びイヤホンコネクタ３００とで構成される。本実施の形態では、イヤホン本体１００とイヤホンケーブル２００とを容易に分離又は接続できるようにし、例えば利用者の好み等に合わせて、イヤホン本体１００とイヤホンケーブル２００との組み合わせを変更できるイヤホンを提供するものである。
【００２４】
図２はイヤホン本体１００を表す図である。図２（ａ）はイヤホン本体１００を外側から見た図、図２（ｂ）は筐体１０１内部の図である。イヤホン本体１００は、筐体１０１、スピーカ１０２、導電部１０３及びカバー１０４で構成される。筐体１０１はスピーカ１０２及び導電部１０３を収容し、保護する。また、筐体１０１は、カバー１０４が回動するさいの中心軸となる軸部材１０１Ａ及びカバー１０４を係止させるための爪、溝等の係止部１０１Ｂを有している。さらにイヤホンケーブル２００を係止するための凸部１０１Ｃも有している。スピーカ１０２は送られる電気信号を音に変換する。
【００２５】
導電部１０３は、スピーカ１０２とイヤホンケーブル２００側との間を電気的に接続し、スピーカ１０２に音を発生させるための電気信号を送信等するために設けている。そのため、後述する導電棒２０２、導体カラー２０３のそれぞれの接点となる端子１０３Ａ及び１０３Ｂを有している。カバー１０４は軸部材１０１Ａを中心として回動することで、開閉可能な蓋となる。カバー１０４を設けることにより、イヤホン本体１００（筐体１０１）内部に設けられた導電部１０３、イヤホンケーブル２００とのが接続されたときには、導電棒２０２及び導体カラー２０３を保護することができる。また、導電棒２０２及び導体カラー２０３を固定し、電気的接続を保持することができる。さらに、ケーブル軸とは別の方向からイヤホンケーブル２００の収容、取り出しを行うことができる。ここで、カバー１０４の回動が筐体１００に邪魔されないように、カバー１０４には連続する２つの穴が設けられており、開く場合は一方の穴にスライドさせて回動し、閉じる場合はもう一方の穴にスライドさせるようにしてもよい。また、カバー１０４の内側には、後述する導電棒２０２及び導体カラー２０３を係止する係止部材及び凸部１０１Ｃとともにイヤホンケーブル２００を係止する凸部を有している。
【００２６】
図３はイヤホンケーブル２００のイヤホン本体１００との接続部分を表す図とその透視図である。イヤホンケーブル２００は、ケーブル部２０１、導電棒２０２、導体カラー２０３、絶縁体部２０４及び装飾金具２０５で構成されている。ケーブル部２０１は電気信号を送信するための信号線となる導電線２０１Ａ及びグラウンド線となる導電線２０１Ｂ、導電線２０１Ａ及び２０１Ｂを保護するための被膜２０１Ｃからなる。
【００２７】
導電棒２０２は、導電線２０１Ａと接続され、イヤホン本体１００側に電気信号を送るためのジャックとなる。また、導体カラー２０３は導電線２０１Ｂと接続される。導電棒２０２と導電線２０１Ａ、導体カラー２０３と導電線２０１Ｂの接続部分は、例えばハンダ付けがされる。ここで、導電棒２０２及び導体カラー２０３は、イヤホン本体１００の導電部１０３との接点（電極端子）となるため、金等、導電率を高める部材で構成又はめっきをすることが望ましい。
【００２８】
絶縁体部２０４は、例えばポリエチレン等の絶縁体を材料とし、導電棒２０２と導体カラー２０３との間を絶縁する。また、絶縁管２０４Ａ、２０４Ｂは導電線２０１Ａ、２０１Ｂと装飾金具２０５との間を絶縁する。装飾金具２０５は例えばクロム、銀等を材料とし、装飾機能をもたせている。また、装飾金具２０５は凹部２０５Ａを有し、イヤホン１００に装着した際に、イヤホン本体１００の凸部１０１Ｃ及び１０４Ｃが凹部２０５Ａに嵌合することでイヤホンケーブル２００がイヤホン本体１００から抜けるのを防止する。ここではより装飾性をもたせるために金属材料としているが、特に材料は限定しない。導電線２０１Ａ、２０１Ｂとの接触回避のための工程を省略し、イヤホンケーブル２００の作製をさらに簡単にするために一部又は全部を絶縁性を有する材料としてもよい。
【００２９】
イヤホンコネクタ３００はコネクタ部３０１と保護部材３０２で構成されている。コネクタ部３０１は、導電線２０１Ａ及び導電線２０１Ｂと接続され、プレーヤから送信される電気信号をイヤホンケーブル２００側に送るためのものである。保護部材３０２は、主にコネクタ部３０１と導電線２０１Ａ及び導電線２０１Ｂとの接続部分を保護する。本実施の形態では、コネクタ部３０１は、イヤホンジャック形状とするが、この形状に限定するものではない。
【００３０】
図４はイヤホンケーブル２００のイヤホン本体１００との接続部分を分解した図である。次にイヤホンケーブル２００接続部分の作製方法例について説明する。ここで、ケーブル部２０１が差し込まれている装飾金具２０５の開口部分を下開口部、絶縁体部２０４が差し込まれている装飾金具２０５の開口部分を上開口部という。
【００３１】
装飾金具２０５の下開口部からケーブル部２０１を差し込んで装飾金具２０５をかしめる。これにより、導電線２０１Ａ及び導電線２０１Ｂに無理な負荷がかからないようにし、ケーブル部２０１の噛み込み及び抜けを防止する。
【００３２】
また、導電線２０１Ａ、２０１Ｂに、例えばストローのような薄手の絶縁管２０４Ａ、２０４Ｂを差し入れ、被膜２０１Ｃから出た導電線２０１Ａ、２０１Ｂと装飾金具２０５とが接触して電気的に接続してしまわないように保護する。ここで、後述する絶縁体部２０４を差し込みやすいように、絶縁管２０４Ａ、２０４Ｂを蛇腹状にし、縮ませることができるようにしてもよい。
【００３３】
図５は絶縁体部２０４及び絶縁体部２０４と導体カラー２０３との関係を表す図である。次に、導電線２０１Ａと導電棒２０２、導電線２０１Ｂと導体カラー２０３をハンダ付けする。絶縁体部２０４には導電線２０１Ｂを導体カラー２０３に接続配線するための窪み部２０４Ｃが設けられている。また、装飾金具２０５への接触等、導体カラー２０３の絶縁性を確保するため導体カラー２０３よりも高さ方向に長くし、間隙を設ける。装飾金具２０５の上開口部から絶縁体部２０４を差し込む。そして装飾金具２０５をかしめて、絶縁体部２０４の噛み込み及び抜けを防止する。
【００３４】
図６はイヤホン本体１００とイヤホンケーブル２００との接続状況を表す図である。図６のように、導電棒２０２と導電部１０３の端子１０３Ａ、導体カラー２０３と端子１０３Ｂとが接点となり、イヤホン本体１００（スピーカ１０２）とイヤホンケーブル２００とが電気的に接続される。そして、プレーヤからの電気信号がスピーカ１０２で音に変換される。
【００３５】
以上のように実施の形態１によれば、イヤホン本体１００とイヤホンケーブル２００とを容易に分離又は接続可能にできる構造にしたので、例えば利用者の形状、色等の好みに合わせて、イヤホン本体１００とイヤホンケーブル２００との組み合わせを変更することができる。また、イヤホンケーブル２００に無理な負荷がかかり、接触不良になった場合でも、容易に別のイヤホンケーブル２００に取り替えることができる。そして、イヤホン本体１００とイヤホンケーブル２００とを分離又は接続できるので、ケーブル部２０１にビーズ等の装飾材を容易に通すことができるようになり、さらに装飾性をもたせることができる。また、端子間を容易に挿抜できる構造にすることで、工具等を用いなくても容易に分離又は接続することができる。
【００３６】
実施の形態２．
図７は本発明の実施の形態２に係るイヤホン本体１００とイヤホンケーブル２００との接続状況を表す透視図である。上述の実施の形態は、イヤホン本体１００のカバー１０４を開閉してイヤホンケーブル２００との分離又は接続を行うものであった。本実施の形態は、イヤホン本体１００に設けられた開口部１１０からイヤホンケーブル２００を挿抜できるようにし、分離又は接続できるようにする。その際、イヤホン本体１００内に凸部１１１を設ける一方、イヤホンケーブル２００に溝２１０を設けて、それらを係合させ、自然に抜けないようにする。凸部１１１の形状は、挿入しやすく自然に抜けないようにするためにその断面が鋸刃状となるようにしておくことが望ましい。その鋸刃状の形状については、挿入時におけるイヤホンケーブルとの接触面に係る辺が最も長くなる（傾斜角度が小さくなる）ようにする。また、導電部１０３の端子１０３Ｃ、１０３Ｄは弾力性を有するようにして、差し込まれた導電棒２０２及び導体カラー２０３との電気的接続を保持できるようにする。
【００３７】
以上のように実施の形態２によれば、挿抜するだけでイヤホン本体１００とイヤホンケーブル２００とを容易に分離又は接続することができる。
【００３８】
実施の形態３．
上述の実施の形態では、イヤホン本体１００とイヤホンケーブル２００との間で着脱させるようにしたが、例えば、イヤホンコネクタ３００とイヤホンケーブル２００との間で着脱させるようにしてもよい。
【００３９】
上述の実施の形態はイヤホンケーブルを前提にして説明したが、他のケーブルと本体（例えばマイクロホン、ヘッドホン等）との関係においても適用することができる。
【図面の簡単な説明】
【００４０】
【図１】本発明の実施の形態１に係るイヤホンを表す図である。
【図２】イヤホン本体１００を表す図である。
【図３】イヤホンケーブル２００のイヤホン本体１００との接続部分を表す図とその透視図である。
【図４】イヤホンケーブル２００のイヤホン本体１００との接続部分を分解した図である。
【図５】絶縁体部２０４及び絶縁体部２０４と導体カラー２０３との関係を表す図である。
【図６】イヤホン本体１００とイヤホンケーブル２００との接続状況を表す図である。
【図７】本発明の実施の形態２に係るイヤホン本体１００とイヤホンケーブル２００との接続状況を表す透視図である。
【符号の説明】
【００４１】
１００  イヤホン本体
１０１  筐体
１０１Ａ  軸部材
１０１Ｂ  係止部
１０１Ｃ  凸部
１０２  スピーカ
１０３  導電部
１０３Ａ、１０３Ｂ、１０３Ｃ、１０３Ｄ  端子
１０４  カバー
１１０  開口部
１１１  凸部
２００  イヤホンケーブル
２０１  ケーブル部
２０１Ａ、２０１Ｂ  導電線
２０１Ｃ  被膜
２０２  導電棒
２０３  導体カラー
２０４  絶縁体部
２０４Ａ、２０４Ｂ  絶縁管
２０４Ｃ  窪み部
２０５  装飾金具
２０５Ａ  凹部
２１０  溝
３００  イヤホンコネクタ
３０１  コネクタ部
３０２  保護部材
【図１】
2006222840.tif 000003
【図２】
2006222840.tif 000004
【図３】
2006222840.tif 000005
【図４】
2006222840.tif 000006
【図５】
2006222840.tif 000007
【図６】
2006222840.tif 000008
【図７】
2006222840.tif 000009